(57)【要約】【課題】ペットの首輪のベルト体が引っ張られても締まらない可動バックルを提供する。【解決手段】可動バックルは、停止板１１、停止板前端に設置する導入ユニット１２及び停止板後端に設置した挟持ユニット１３を設けた上接続部１を備え、該挟持ユニットは、ベルト体３の一端を挿入する間隙を設けて相対向して設けられた第一板体、第一板体及びこれら第一板体と第二板体を締結して覆う取外し部品１３３を備える。該ベルト体は第一板体、第一板体の相対面にそれぞれ設けられた係合体に挟持され、取外し部品１３３がこれらを覆って締結することにより係合体が噛み込んで締結される。上記ベルト体３の他端は、上記上接続部の導入ユニット１２と着脱可能に連結する本体ユニット２１後端に結合され、上接続部１との間で挟持される。【選択図】図１
0003212705.tif 000002
【実用新案登録請求の範囲】
【請求項１】
首輪のベルトを連結する可動バックルにおいて、
停止板、該停止板前端に設置した導入ユニットを備えた上接続部と該導入ユニットと着脱する本体ユニットとからなり、
上記上接続部は、上記停止板後端に挟持ユニットを設けて該挟持ユニットにはベルト体を嵌入する間隔を備えた第一板体、第二板体を設けると共にベルト体を嵌入した第一板体、第二板体を覆って締結する取外し部品を備え、
上記ベルト体の他端を結合した本体ユニットと上記導入ユニットとを連結するようにしたことを特徴とする可動バックル。
【請求項２】
前記挟持ユニットの第二板体には相対する第一板体に向けてベルト体を係合する第二掛合体を設置したことを特徴とする請求項１記載の可動バックル。
【請求項３】
前記挟持ユニットの第一板体には相対する第二板体に向けて第一掛合体を設置したことを特徴とする請求項２記載の可動バックル。
【請求項４】
前記挟持ユニットの取外し部品は、内部にベルト通過空間を形成してベルト体を挟持した該第一板体及び該第二板体を覆って締結することを特徴とする請求項３記載の可動バックル。
【請求項５】
前記第二板体の第二掛合体と第一板体の第一掛合体は、それぞれベルト体の一端を嵌入して噛込んで係止することを特徴とする請求項４記載の可動バックル。
【考案の詳細な説明】
【技術分野】
【０００１】
本考案は、ペットなどの首輪のベルトを連結する可動バックルに関するもので、上接続部と下接続部を含む。そのうち、上接続部は停止板、導入ユニット及び挟持ユニットを含む。該挟持ユニットは第一板体、第二板体、取外し部品を備える。更に可動バックルは下接続部を含む。それは本体ユニットを含む。該本体ユニット後端はベルト体の一端と組み合わさり、該ベルト体の別一端は該第一板体、該第二板体と該取外し部品の間でしっかりと位置する。その後、ベルト体両端と上、下接続部の間をしっかりと固定し、ベルト体が引っ張られた時、長さが縮まないのでペットの頸部を締めて窒息させてしまう事故を確実に防ぐ。
【背景技術】
【０００２】
ペットは、人類のグッドパートナーであり、主人が外出する際、ペットと共に出かけることもある。また、ペットを運動させる時、主人はペットを連れて外出するが、ペットが勝手に何処かへ行ったり他人を傷つけたりしないよう、主人は通常、ペット首輪もしくはペット胴輪等物品をペットに取り付け、連れ歩きやすくする。
【０００３】
図９から図１０に示す公知のペット首輪４は、ペット５(例として猫)の頸部に設置する。
【先行技術文献】
【特許文献】
【０００４】
【特許文献１】特開２０１４−６９１３０号公報
【考案の概要】
【考案が解決しようとする課題】
【０００５】
解決しようとする問題点は、使用するペット首輪４の一部が外部物品６によって引っ張られた時、ペット５が慌てて動き回ることで、その頸部において前述ペット首輪４のベルト体４１の長さが短くなって首が締り窒息させてしまう事故が起こることがある。
【０００６】
本考案の考案者はペット首輪及びその関連製品を製造する中で、その長短所を深く知ることになり、その短所を改善し、本考案の可動バックルを提供することにした。
【課題を解決するための手段】
【０００７】
本考案は、上接続部を備え、停止板、停止板前端に設置する導入ユニット及び停止板後端に設置する挟持ユニットを有する。挟持ユニットは、第一板体、第一板体にベルト体を嵌入する間隔を開けて設置すると共に該第一板体と第二板体をしっかりと覆って締結する取外し部品を備える。更に該上接続部の導入ユニットと着脱する本体ユニットを含む。本体ユニット後端はベルト体の一端と組み合わさり、ベルト体の他端は第一板体、第二板体と取外し部品の間でしっかりと挟持されて締結される。本考案は、使用者が先ずペットの頸部に余裕をもって装着するのに適した長さのベルト体を選び、ベルト体両端と上、下接続部の間をしっかりと固定することを最も主要な特徴とする。
【考案の効果】
【０００８】
本考案の可動バックルは、ベルト体が引っ張られた時、長さが短くなってペットの頸部を締めて窒息させてしまう事故を確実に防ぐという利点がある。
【図面の簡単な説明】
【０００９】
【図１】本考案の実施例の立体分解図である。
【図２】ベルト体の別一端は先ず、取外し部品の内部を通過し、末端部分は第一板体、第二板体の間で制限を受ける状態を説明する図１の組立指示図である。
【図３】ベルト体の別一端は取外し部品によって第一板体、第二板体を覆った後、第一板体、第二板体の間でしっかりと位置することを説明する図２の組立指示図である。
【図４】図３の組立完成後の立体外観図である。
【図５】図４の一側の断面の構造指示図である。
【図６】上、下接続部の間で枢設回転する状態を説明する図４の俯瞰方向の透視構造指示図である。
【図７】図６の一角度に枢設回転した指示図である。
【図８】図４のベルト体全体の立体外観図である。
【図９】公知のペット首輪をペット(例として猫)に取り付けた応用状態指示図である。
【図１０】図９の公知のペット首輪の一部分が外部物品によって引っ張られた時の状態指示図である。
【考案を実施するための形態】
【００１０】
ベルト体両端と上、下接続部の間をしっかりと固定し、ベルト体が引っ張られた時、長さが短くなってペットの頸部を締めて窒息させてしまう事故を確実に防ぐ可動バックルを提供することを本考案の目的とする。
【００１１】
本考案は、以下の技術手段で本考案の各項の目的と機能を実現する。可動バックルは上接続部を備え、それは停止板、該停止板前端に設置する導入ユニット及び該停止板後端に設置する挟持ユニットを有する。該挟持ユニットは第一板体、該第一板体にベルト体を嵌入する間隔を開けて設置し、該第一板体と該第二板体をしっかり覆って締結する取外し部品を備える。更に下接続部を含み、それは該上接続部の導入ユニットと着脱する本体ユニットを含み、該本体ユニット後端はベルト体の一端と組み合わさり、該ベルト体の別一端は該第一板体、該第二板体と該取外し部品の間でしっかりと位置する。
【００１２】
該挟持ユニットの第二板体には、該第一板体に向けて第二掛合体を設置する。
【００１３】
該挟持ユニットの第一板体には、該第二板体に向けて第一掛合体を設置する。
【００１４】
該挟持ユニットの取外し部品にはベルト通過空間を形成して該第一板体及び該第二板体を覆って締結し、該ベルト体の一端は該復数の板体の間に挟持される。
【００１５】
該第二板体の第二掛合体と該第一板体の第一掛合体は、その間の間隙に該ベルト体の他端を嵌入して噛込んで係止する。
【００１６】
本考案は、使用者が先ずペットの頸部に余裕をもって嵌合するのに適した長さのベルト体を選び、ベルト体両端と上、下接続部の間をしっかりと固定し、ベルト体が引っ張られた時、長さが短くなってペットの頸部を締めて窒息させてしまう事故を確実に防ぐ。
【実施例】
【００１７】
本考案は一種の可動バックルであり、添付の図式と本考案の具体的実施例及びその部品は、すべて参考であり、本考案を制限するものでなく、その部品はいかなる位置もしくは空間方向を制限しない。図式と説明書の中の指定のサイズは、本考案の請求項の範囲内から離れず、本考案の具体実施例の設計と需求に基づき変化する。
【００１８】
本考案は、首輪のベルト体を固定する一種の可動バックルであり、図１から図８に示すとおり、その構造は、停止板１１、該停止板１１前端に設置する導入ユニット１２及び該停止板１１後端に設置した挟持ユニット１３を設けた上接続部１を備え、該挟持ユニット１３は第一板体１３１、該第一板体１３１との間にベルト体を嵌入する間隙を設けて設置した第二板体１３２、該第一板体１３１と該第二板体１３２をしっかりと覆う取外し部品１３３を備える。
更に、下接続部２は、上記上接続部１の導入ユニット１２と着脱する本体ユニット２１を備える。該本体ユニット２１後端はベルト体３の一端と結合され、該ベルト体３の他端は、前記上接続部１の第一板体１３１、第二板体１３２と取外し部品１３３の間で固定される。
【００１９】
前記挟持ユニット１３の第二板体１３２は、該第一板体１３１の第二掛合体１３２１に相対向して設置し、また、該挟持ユニット１３の第一板体１３１は該第二板体１３２の第一掛合体１３１１に向けて設置する。
該挟持ユニット１３の取外し部品１３３はベルト通過空間１３３１を形成して、該第一板体１３１及び該第二板体１３２を覆い、前記ベルト体３の他端を該復数の板体１３１、１３２の間に挿入し、該第二板体１３２の第二掛合体１３２１と該第一板体１３１の第一掛合体１３１１はそれぞれ嵌入した該ベルト体３の他端を噛込んで係止する。
【００２０】
本考案は、上述の図１から図８に示すとおり、使用者に先ずペットの頸部に余裕をもって嵌合するのに適した長さのベルト体３を選び、ベルト体３両端を上、下接続部１、２との間で固定することで、ベルト体３が引っ張られた時の長さが縮んでペットの頸部を締めて窒息させてしまう事故を起こさない。
【００２１】
但し、上述は本考案の良好な実施例に過ぎず、本考案の請求範囲を制限するものではなく、本考案の請求範囲及び説明書内容の簡単な同効果変化及び修飾はすべて本考案の範囲に含まれる。
【符号の説明】
【００２２】
(本考案)
１        上接続部
１１        停止板
１２        導入ユニット
１３        挟持ユニット
１３１        第一板体
１３１１        第一掛合体
１３２        第二板体
１３２１        第二掛合体
１３３        取外し部品
１３３１        ベルト通過空間
２        下接続部
２１        本体ユニット
３        ベルト体
４        ペット首輪
４１        ベルト体
５        ペット
６        外部物品
【図１】
0003212705.tif 000003
【図２】
0003212705.tif 000004
【図３】
0003212705.tif 000005
【図４】
0003212705.tif 000006
【図５】
0003212705.tif 000007
【図６】
0003212705.tif 000008
【図７】
0003212705.tif 000009
【図８】
0003212705.tif 000010
【図９】
0003212705.tif 000011
【図１０】
0003212705.tif 000012